(57)【要約】【課題】  鍵の紛失や室内への鍵の閉じ込み時に、容易且つ迅速に解錠し得るディスクタンブラー錠の解錠工具及び解錠方法を提供する。【解決手段】  前方部にディスクタンブラーを下方へピッキングするための鍵山１ａと、上方へピッキングするための鍵山２ａを個別に形成した複数のピッキングプレート１，２と、ディスクタンブラー錠の鍵穴に差し込んだ前記ピッキングプレート１，２を引き出して定位置で止めると共に、ディスクタンブラーを配設したシリンダーの内筒に回転モーメントを付勢させるためのテンション３とからなり、前記ピッキングプレート１，２をディスクタンブラー錠の鍵穴に差し込み、テンション３の先端部を鍵穴の上下部に挿入して、テンション３に解錠方向への回転モーメントを付勢させながらピッキングプレートを押したり、引いたりしてディスクタンブラーを動かし定位置で止めることにより解錠する。【選択図】図１
2007009585.tif 000002
【特許請求の範囲】
【請求項１】
ディスクタンブラー錠のディスクタンブラー配列に応じて、前方部にディスクタンブラーを下方へピッキングするための鍵山と、上方へピッキングするための鍵山を個別に形成した複数のピッキングプレートと、ディスクタンブラー錠の鍵穴に差し込んだピッキングプレートを引き出して定位置で止めると共に、ディスクタンブラーを配設したシリンダーの内筒に回転モーメントを付勢させるためのテンションとにより構成されてなることを特徴とする解錠工具。
【請求項２】
ピッキングプレートの後端部が、該ピッキングプレートを鍵穴に差し込んだ時に略４５度の斜めの角度で放射状に延出されるように曲げて形成されてなることを特徴とする請求項１記載の解錠工具。
【請求項３】
ピッキングプレートの鍵山形成部より後方部反対側に、切り欠き段差が形成されてなることを特徴とする請求項１又は請求項２記載の解錠工具。
【請求項４】
ディスクタンブラー錠の鍵穴にディスクタンブラーを上下方向にピッキングするための鍵山を形成したピッキングプレートを差し込むと共に、テンションの先端部を鍵穴の上下部に嵌合挿入し、該テンションに解錠方向へ回転モーメントを付勢させながらピッキングプレートを押したり、引いたりしてディスクタンブラーを定位置まで動かし、全てのディスクタンブラーを定位置に止めることにより解錠されることを特徴とする解錠方法。
【請求項５】
ピッキングプレートを押して鍵山の前方にあるディスクタンブラーを定位置まで動かし、引いて鍵山の後方にあるディスクタンブラーを定位置まで動かすことを特徴とする請求項４記載の解錠方法。
【発明の詳細な説明】
【技術分野】
【０００１】
本発明は、鍵の紛失や室内又はトランクへの鍵の閉じ込み時に容易且つ迅速に解錠し得るディスクタンブラー錠の解錠工具及び解錠方法に関する。
【背景技術】
【０００２】
シリンダーの内筒に多数のディスクタンブラーを配設してバネで付勢し、外筒に係止させて施錠されるディスクタンブラー錠は、複雑な構造を有しており、鍵の紛失や室内又はトランクへの鍵の閉じ込み時には、多数のディスクタンブラーを１つずつピッキングしながら解錠するというやり方が一般的に行われるが、熟練した技術を要する。特に近年、高級車等の盗難を防止すべく、ディスクタンブラー錠の構造が複雑化しており、専門業者でも容易且つ迅速に解錠できない問題がある。
【０００３】
多数のディスクタンブラーを配設した自動車用シリンダー錠の解錠工具として、鍵差し込み穴に嵌合させるようにしたテンションにピック差し込み穴を設け、該差し込み穴にピックの先端部を差し込んでディスクタンブラーの係止をはずし、解錠するようにした技術が開示されている。（例えば、特許文献１参照）
【０００４】
又、ディスクタンブラー錠用解錠治具として、ディスクタンブラー錠の鍵穴に挿入してディスクタンブラー錠の内筒をディスクタンブラーと共に解錠方向へ付勢するためのハンドルを有するテンション棒と、該テンション棒の上面と下面とに沿ってピッキングバーを摺動させて前記鍵穴に挿入することにより前記ディスクタンブラーを下方へ移行させるためのグリップ付きピックとからなり、施錠されたタンブラー錠の鍵穴にテンション棒とピックを挿入し、ディスクタンブラーを下方へ移行させてテンション棒を解錠方向へ付勢させた状態で、ピックを引き抜いてテンション棒の付勢力をやや緩めることにより、下方部で係合したディスクタンブラーをバネの付勢により上方へ上げることにより解錠するようにした技術が開示されている。（例えば、特許文献２参照）
【特許文献１】実用新案登録第３０４７８７５号公報
【特許文献２】特開２００４−３６１５４号公報
【発明の開示】
【発明が解決しようとする課題】
【０００５】
しかしながら、上記特許文献１に開示される技術では、テンションのピック差し込み穴に、先端部を直角に曲げたピックを差し込んでディスクタンブラーの係止を１つずつピッキングしながらはずさなければならず短時間に解錠できない。特に上下左右に、ハーフタイプのディスクタンブラーを多数配設した複雑なディスクタンブラー錠の解錠においては、手間を要し、容易且つ迅速にできない問題点（課題）があり、特許文献２に開示される技術では、下方向へ移行させて下方部で係合状態になったディスクタンブラーを、テンション棒の付勢をやや緩めることによりスプリングの付勢で上方へ上げて係合状態をはずすには、テンション棒にかける付勢力の加減が不確実で感と熟練を要するほか、左右に分離したハーフタイプのディスクタンブラーを多数配設したディスクタンブラー錠においては、ディスクタンブラーを個々に作動できない問題点（課題）がある。
【課題を解決するための手段】
【０００６】
本発明は、上記問題点に鑑みてなされた解錠工具及び解錠方法を提供するものである。
すなわち、その解決するための手段は、
ディスクタンブラー錠のディスクタンブラー配列に応じて、前方部にディスクタンブラーを下方へピッキングするための鍵山と、上方へピッキングするための鍵山を個別に形成した複数のピッキングプレートと、ディスクタンブラー錠の鍵穴に差し込んだピッキングプレートを引き出して定位置で止めると共に、ディスクタンブラーを配列したシリンダーの内筒に回転モーメントを付勢させるためのテンションとにより構成されてなることを特徴とする解錠工具である。
【０００７】
前記ピッキングプレートの後端部は、該ピッキングプレートを鍵穴に差し込んだ時に略４５度の斜めの角度で放射状に延出されるように曲げて形成されてなることを特徴とし、ピッキングプレートの鍵山形成部より後方部反対側には、切り欠き段差が形成されてなることを特徴とするものである。
【０００８】
そして、ディスクタンブラー錠の鍵穴にディスクタンブラーを上下方向にピッキングするための鍵山を形成したピッキングプレートを差し込むと共に、テンションの先端部を鍵穴の上下部に嵌合挿入し、該テンションに解錠方向へ回転モーメントを付勢させながらピッキングプレートを押したり、引いたりしてディスクタンブラーを定位置まで動かし、全てのディスクタンブラーを定位置に止めることにより解錠されるようにしたもので、ピッキングプレートを押して鍵山の前方にあるディスクタンブラーを定位置まで動かし、引いて鍵山の後方にあるディスクタンブラーを定位置まで動かすようにした。
【発明の効果】
【０００９】
上記手段にて記載するように本発明は、前方部にディスクタンブラーを下方へピッキングするための鍵山と、上方へピッキングするための鍵山を個別に形成した複数のピッキングプレートと、ディスクタンブラー錠の鍵穴に差し込んだピッキングプレートを引き出して定位置で止めると共に、ディスクタンブラーを配設したシリンダーの内筒に回転モーメントを付勢させるテンションからなり、前期ピッキングプレートをディスクタンブラー錠の鍵穴に差し込むと共に、テンションの先端部を鍵穴の上下部に挿入し、該テンションに解錠方向へ回転モーメントを付勢させながらピッキングプレートを押したり、引いたりしてディスクタンブラーを定位置まで動かし、全てのディスクタンブラーを定位置に止めることにより解錠されるようにしたから、ハーフタイプのディスクタンブラーを多数配設した複雑なディスクタンブラー錠でも容易且つ迅速に解錠できると共に、ディスクタンブラーを個々に作動させることができ、解錠作業が短縮できる効果を奏する。
【００１０】
又、解錠工具は、シンプルで複雑な加工を必要とせず、強靭で耐摩耗性に強い金属で一体加工が容易であるから、安価に製作できると共に、鍵穴内での工具の破損を防止できる利点を有する。
【発明を実施するための最良の形態】
【００１１】
本発明を実施するための最良の形態は、ディスクタンブラー錠のディスクタンブラー配列に応じて、前方部にディスクタンブラーを下方へピッキングするための鍵山と、上方へピッキングするための鍵山を個別に形成した複数のピッキングプレートと、先端部を略直角に形成し、ディスクタンブラー錠の鍵穴の上下部に嵌合挿入可能な二股ピンセット状に形成されたテンションとからなる解錠工具で、前記ピッキングプレートをディスクタンブラー錠の鍵穴に差し込むと共に、テンションの先端部を鍵穴の上下部に挿入し、該テンションに解錠方向へ回転モーメントを付勢させながらピッキングプレートを押して鍵山の前方にあるディスクタンブラーを定位置まで動かし、引いて鍵山の後方にあるディスクタンブラーを定位置まで動かして全てのディスクタンブラーを定位置に止めることにより解錠することを特徴とする実施形態である。以下実施例にて図面を参照して説明する。
【実施例１】
【００１２】
図１は、本発明に係る解錠工具の実施例を示す斜視図であり、図１の（Ａ）は、ディスクタンブラーを下方へピッキングするための鍵山１ａが形成されたピッキングプレート１で、（Ｂ）はディスクタンブラーを上方へピッキングするための鍵山２ａが形成されたピッキングプレート２であり、（Ｃ）は先端部３ａ，３ａをディスクタンブラー錠の鍵穴の上下部に嵌合挿入し、解錠方向へ回転モーメントを付勢させながら、前記ピッキングプレートを引き出して定位置で止めるためのテンション３である。
【００１３】
図２は、ディスクタンブラーを配設したディスクタンブラー錠の要部断面図例であり、ディスクタンブラー４，４，５，５は、左右に分離されたハーフタイプのディスクタンブラーで鍵山で作動させるための作動片４ａ，４ａ，５ａ，５ａを有し、該ディスクタンブラーはシリンダーの内筒６に配設されてそれぞれバネ７，７，…により、図２の（ａ）では上方へ押し上げられ、（ｂ）では下方へ押し下げられて、外筒８の係止穴８ａ，８ｂに嵌入係止されることにより施錠されるような構造となっており、図２の（ａ）に示すような上部で係止されるディスクタンブラー４，４を左右２枚、（ｂ）に示すような下部で係止されるディスクタンブラー５，５を左右３枚の合計１０枚のディスクタンブラーを配設したディスクタンブラー錠、前記（ａ）に示すような上部でディスクタンブラー４，４を左右３枚、（ｂ）に示すような下部で係止されるディスクタンブラー５，５を左右２枚の合計１０枚のディスクタンブラーを配設したディスクタンブラー錠が自動車用として一般的に使用されている。
【００１４】
図３は、上部で係止されるディスクタンブラー４，４を左右２枚、下部で係止されるディスクタンブラー５，５を左右３枚の合計１０枚のディスクタンブラーをシリンダーの内筒６に配設し、該内筒に配設されたディスクタンブラーを上下に移行させるべく内筒６に設けられた（ディスクタンブラー錠の）鍵穴９に、ピッキングプレート１，２，１Ａ，２Ａを上下左右面を合わせて差込み、鍵穴９の上下部にテンション３の先端部３ａが嵌合挿入され、位置決め溝３ｂを鍵穴口に嵌めて位置決めされている状態を示す。
【００１５】
ピッキングプレート１，１Ａは、バネで上方へ押し上げられたディスクタンブラー４，４，…を下方へ移行させるもので、ピッキングプレート２，２Ａはバネで下方へ押し下げられたディスクタンブラー５，５，…を上方へ移行させるものであり、鍵穴９に差し込んだピッキングプレート１，２，１Ａ，２Ａの後端部は、作動しやすいように略４５度の斜めの角度で放射状に延出されるように曲げられて取手部１ｂ，２ｂ，１ｂ´，２ｂ´が形成されている。
【００１６】
前記ピッキングプレート１と１Ａ、２と２Ａは、背合わせの左右対称（反対勝手）の形状に製作され、分離したハーフタイプのディスクタンブラー４，４，５，５を作動させるが、ハーフタイプのディスクタンブラーでなく左右が一体で形成されたものである場合は、ピッキングプレート１Ａ，２Ａを使用しないで解錠可能となることから、ピッキングプレートの数は上下に作動させるのに複数必要であるが数を限定するものではない。
【００１７】
又、前記ピッキングプレート１，２，１Ａ，２Ａは、鍵穴９に差し込んだ状態から引き出して、挿入されたテンションの先端に当てて定位置で止めるべく鍵山形成部より後方部反対側に、切り欠き段差１ｃ，２ｃ，…が設けてあり、該切り欠き段差と鍵穴９の上下との間のスペースにテンションの先端部が嵌合挿入され、テンション３の先端部３ａ，３ａに位置決め溝３ｂ，３ｂを付けて鍵穴口に嵌めて位置決めし、引き出されたピッキングプレート１，２，１Ａ，２Ａが一定置で止められるようにしてあり、テンション３は先端部を略直角にして二股ピンセット状に形成され、該テンションの取手部３ｃに解錠方向に手で回転モーメントがかけられるようにしてある。テンション３は回転モーメントを付勢させるからステンレス鋼のような剛性のある金属を使用して製作するのが良い。
【００１８】
更に、前記ピッキングプレート１，２，１Ａ，２Ａは、ディスクタンブラー錠の鍵穴内で破損するのを防止すべく剛性のある強靭な金属、例えば焼入れ可能な靭性のある鋼又はステンレス鋼で製作するのが好ましく、図１に示す先端部１ｄ，２ｄは挿入しやすく緩やかな傾斜を付けて例えば自動車の純正鍵の一番低い段差に合わせた段差部１ｅ，１ｅ，２ｅ，２ｅを形成し、鍵山１ａ，２ａは一番高い段差に合わせた頂点とする。段差部１ｅ，１ｅ，２ｅ，２ｅ，２ｇ、鍵山１ａ，２ａの位置及び鍵山１ａ，２ａの傾斜はディスクタンブラーの配列状況により決められ、鍵穴よりシリンダーの内筒の中を覗いて配列状況を確認する。段差部１ｅ，１ｅ、２ｅ，２ｅ、鍵山１ａ，２ａの背部には薄板部１ｆ，２ｆを設けるのが、鍵山１ａ，２ａ，段差部１ｅ，２ｅ，…の補強、及びスムーズに鍵穴内で摺動するのに好ましい。
【００１９】
次に、以上のようにしてなる解錠工具により、施錠されたディスクタンブラー錠を解錠するについて、図４を参照して説明する。図４の（イ）は施錠された状態のディスクタンブラー配設の側断面図であり、シリンダーの内筒６に、ディスクタンブラー４，４が上方へ押し上げられ、ディスクタンブラー５，５，５が下方へ押し下げられて配設され、上部と下部で外筒８に係止されるようにして施錠されるようになっている。
【００２０】
図４の（ロ）は、上記図４の（イ）の状態のものに、鍵穴９より前記ピッキングプレート１，２を差し込んで奥突き当りまで押し込み、テンション３の先端部３ａ，３ａを鍵穴９の上下部と差し込んでピッキングプレート１，２の切り欠き段差１ｃ，２ｃとのスペースに、位置決め溝３ｂ，３ｂで位置決めされて嵌合挿入された状態である。
【００２１】
ピッキングプレート１を奥突き当りまで押し込んだ状態では、鍵山１ａの前方にあるディスクタンブラー４の作動片４ａがピッキングプレート１の鍵山１ａで下方へピッキングされて内筒６の外径面と略面一の定位置まで動き、鍵山１ａの後方のディスクタンブラー４は、作動片４ａがピッキングプレート１の段差部１ｅ上でガイドされていて内筒６の外径面より上方へ突き出た状態となっており、ピッキングプレート２を奥まで押し込んだ状態では、鍵山２ａの前方にあるディスクタンブラー５の作動片５ａがピッキングプレート２の鍵山２ａでピッキングされ、鍵山２ａの後方にあるディスクタンブラー５，５のうちの１箇所の作動片５ａが段差部２ｇでガイドされてディスクタンブラー５が内筒６の外径面と略面一の定位置まで動き、残り１箇所のディスクタンブラー５は、作動片５ａがピッキングプレート２の段差部２ｅ上でガイドされていて内筒６の外径面より下方へ突き出た状態となっている。
【００２２】
図４の（ハ）は、上記ピッキングプレート１，２を奥突き当りまで押し込んだ状態からピッキングプレート１を引き出した状態である。ピッキングプレート１を引き出す際は、テンション３に解錠方向に回転モーメントを付勢させて行う。回転モーメントを付勢させることにより、ピッキングプレート１を引き出しても、内筒６の外径面と略面一の定位置まで動いたディスクタンブラー４はそのまま保持され、ピッキングプレート１を引き出して内筒６の外径面より突き出ていた後方のディスクタンブラー４の作動片４ａが段差部１ｅと鍵山１ａとの斜面位置で、内筒６の外径面より突き出ていた後方のディスクタンブラー４は内筒６の外径面と略面一の定位置まで動き、回転モーメントを付勢させているテンションが僅かに解錠方向に回転して、ディスクタンブラー４，４が内筒６の外径面と略面一の状態が保持される。なお、ディスクタンブラーの配列によっては、鍵山１ａの頂点部で挿入されたテンション３の先端部３ａ，３ａの一端にピッキングプレート１を当てて止め、この状態で後方のディスクタンブラー４が内筒６の外径面と略面一になるようにすることもあり、以下ピッキングプレート２，…も同様である。
【００２３】
図４の（ニ）は、上記ピッキングプレート１を引き出して上部係止のディスクタンブラー４，４を内筒６の外径面と略面一にした後、ピッキングプレート２を引き出した状態である。テンション３は解錠方向に回転モーメントを付勢させたままである。ピッキングプレート２を引き出しても内筒６の外径面と略面一になった前記ディスクタンブラー５，５はテンション３への回転モーメントの付勢により保持され、残り１箇所下方へ突き出ていたディスクタンブラー５は、引き出したピッキングプレート２の鍵山２ａと段差部２ｅとの斜面位置で内筒６の外径面より突き出ていた前記ディスクタンブラー５は内筒６の外径面と略面一の定位置まで動き、上下係止（施錠）がはずれて解錠方向へ回転モーメントを付勢させたテンション３が回動して解錠されることになるが、ハーフタイプのディスクタンブラーを配設したディスクタンブラー錠では、別側（本実施例では鍵穴より見て右側）に配設したディスクタンブラーも図３に示すピッキングプレート１Ａ，２Ａにより同様にピッキングして、ピッキングプレート１、ピッキングプレート２、ピッキングプレート１Ａ、ピッキングプレート２Ａといった具合に個々に順次ピッキングして、配設したディスクタンブラーの全てが内筒６の外径面と略面一の定位置になった時点でテンション３が解錠方向へ回動して解錠されることになる。
【産業上の利用可能性】
【００２４】
本発明は、タンブラーをピッキングして解錠する構造の錠であれば、ディスクタンブラー錠のみならず、他のタンブラー錠の解錠にも利用できる可能性がある。
【図面の簡単な説明】
【００２５】
【図１】本発明に係る解錠工具の実施例を示す斜視図である。
【図２】ディスクタンブラー錠のディスクタンブラー配設例を示す要部断面図である。
【図３】本発明に係る解錠工具によりディスクタンブラー錠を解錠する例を示す斜視図である。
【図４】本発明に係る解錠工具により解錠する作動順を示す側断面図である。
【符号の説明】
【００２６】
１，１Ａ，２，２Ａ  ピッキングプレート
１ａ，２ａ  鍵山
１ｂ，１ｂ´，２ｂ，２ｂ´，３ｃ  取手部
１ｄ，２ｄ，３ａ  先端部
１ｃ，２ｃ  切欠き段差
１ｅ，２ｅ，２ｇ  段差部
１ｆ，２ｆ  薄板部
３  テンション
３ｂ  位置決め溝
４，５  ディスクタンブラー
４ａ，５ａ  作動片
６  内筒
７  バネ
８  外筒
８ａ，８ｂ  係止穴
９  鍵穴
【図１】
2007009585.tif 000003
【図２】
2007009585.tif 000004
【図３】
2007009585.tif 000005
【図４】
2007009585.tif 000006